(57)【要約】【課題】表示装置において画像表示形態を変化させた場合でも、画像出力装置から表示装置へ常に最適な画像を出力することが可能な画像表示システムの提供。【解決手段】画像表示システムは、表示装置１と画像出力装置１０とからなる。表示装置１が画像情報処理部３と表示部４とユーザー入力受付部５と表示形態制御部６と表示形態変化通知部７とを具備する。画像出力装置１０が映像信号復号部１２と画像処理部１３と表示形態変化通知受信部１５と画像処理制御部１６とを具備する。表示形態変化通知部７から表示形態変化通知受信部１５に画像表示形態の変化が通知される。表示形態変化通知受信部１５が受信した画像表示形態変化を画像処理制御部１６に通知し、画像処理制御部１６が画像処理部１３の画像処理内容を表示装置１の画像表示形態にあわせて最適化する。【選択図】図１
2008096873.tif 000002
【特許請求の範囲】
【請求項１】
画像を表示する表示装置と、前記表示装置に接続され、前記表示装置に対して画像を出力する画像出力装置とからなる画像表示システムであって、
前記表示装置は、入力された画像信号の画像処理を行う画像情報処理手段と、前記画像情報処理手段により画像処理された画像を表示する表示手段と、ユーザーからの操作指示を受け付けるユーザー入力受付手段と、前記ユーザー入力受付手段がユーザーからの画像表示形態の変更指示を受けたとき、前記表示手段に表示される画像の表示形態を変化させるよう前記画像情報処理手段を制御する表示形態制御手段と、画像表示形態変化通知を前記画像出力装置に送信する表示形態変化通知手段とを具備し、
前記画像出力装置は、出力する画像を変換する画像変換手段と、前記表示装置に出力する画像信号の画像処理を行う画像処理手段と、前記表示形態変化通知手段から送信された画像表示形態変化通知を受信する表示形態変化通知受信手段と、前記画像処理手段の画像処理内容を前記表示装置の画像表示形態にあうよう制御する画像処理制御手段とを具備し、前記表示形態変化通知受信手段が前記表示形態変化通知手段からの画像表示形態変化通知を受信したとき、前記表示装置の表示手段が変化させて表示する画像表示形態に対応するよう画像の出力条件を変化させることを特徴とする画像表示システム。
【請求項２】
上記表示装置と上記画像出力装置は、ＨＤＭＩにより接続されており、前記表示装置から前記画像出力装置への画像表示形態の変化の通知は、ＨＤＭＩ規格におけるＣＥＣプロトコルを用いて行われる請求項１に記載の画像表示システム。
【請求項３】
上記画像出力装置は、ＧＵＩを具備し、上記表示形態変化通知受信手段が上記表示形態変化通知手段からの画像表示形態変化通知を受信したとき、ＧＵＩの構成を変化させる請求項１または２に記載の画像表示システム。
【請求項４】
上記画像出力装置は、ＧＵＩ構成のＯＳＤを生成するＯＳＤ生成手段と、前記ＯＳＤ生成手段に対してＧＵＩ構成のＯＳＤの生成を指示するＧＵＩ制御手段とを具備し、前記ＧＵＩ制御手段は、ＧＵＩ構成を変更させる必要があるかを判断し、ＧＵＩ構成を変更させる必要がある場合、前記ＯＳＤ生成手段に対して新しいＧＵＩ構成のＯＳＤを生成するように指示を行う請求項３に記載の画像表示システム。
【発明の詳細な説明】
【技術分野】
【０００１】
本発明は、画像表示形態が変化する画像表示システムに関するものである。
【背景技術】
【０００２】
従来、表示装置と画像出力装置を接続した際に、自動的に画像出力装置においてアスペクト比などの表示条件の設定が行われる発明が特許文献１に記載されている。
【０００３】
このような従来の発明では、表示装置と画像出力装置を接続するだけで、自動的に画像出力装置における画像出力の設定が行われるため、非常に便利である。
【特許文献１】特開２００５−１０９７０３号公報
【発明の開示】
【発明が解決しようとする課題】
【０００４】
しかしながら、表示装置において、複数の画像を同時に並べて視聴可能である複数画面同時視聴機能や、また画像の一部の上に別の画像を表示させるピクチャー・イン・ピクチャーといった機能を備えたものがある。
【０００５】
そのような表示装置において、画面の画像表示形態を変化させた場合、表示領域の面積や画素数の変化などにより、表示装置における最適な表示条件が変化することがある。
【０００６】
にもかかわらず上述した従来の発明では、表示装置と画像出力装置を接続した際にのみ自動的に表示装置における表示条件の設定が行われるため、前記のような表示装置の画像表示形態の変化に対応することができない。
【０００７】
また、画像出力装置として、例えば、ＯＳＤ（Ｏｎ  Ｓｃｒｅｅｎ  Ｄｉｓｐｌａｙ）を用いた各種ＧＵＩ（Ｇｒａｐｈｉｃａｌ  Ｕｓｅｒ  Ｉｎｔｅｒｆａｃｅ）機能（例えば、電子番組表など）を備えたものが考えられる。
【０００８】
例えば、電子番組表を備えた画像出力装置は、画面上に番組の一覧表を表示し、その中から視聴する番組を選択することや録画予約を行うことができ、非常に便利である。
【０００９】
しかし、これらＧＵＩの表示構成は、一般的な解像度や表示領域の面積における視認性を考えて設計されており、表示装置の画像表示形態の変化により極端に高い解像度や小さな表示領域に表示しようとした場合、文字が読めないほど小さくなってしまったり、また逆に文字が大きくなりすぎて画面内に表示される情報量が少なくなりすぎてしまい、有用さが損なわれる場合がある。
【００１０】
また、従来から、例えば、Ｄ端子などの表示装置から画像出力装置に対して走査線数やアスペクト比を通知する技術は存在していたが、これらは表示装置から画像出力装置に対して通知できる情報が規格に定められた走査線数やアスペクト比といった一般的な情報にのみ限られており、表示装置から画像出力装置へ対して特定の機能が実行されたという通知は行うことができなかった。
【００１１】
そのため、表示装置においてある操作を行ったときに、画像出力装置において自動的にその操作に対応した動作を行うといった制御を行うことはできなかった。
【００１２】
そこで、本発明は、そのような状況に鑑みてなされたものであって、表示装置において画像表示形態を変化させた場合でも、画像出力装置から表示装置へ常に最適な画像を出力することが可能となり、非常に便利な画像表示システムを提供することを目的とする。
【課題を解決するための手段】
【００１３】
上記従来技術の課題を解決するために、本発明の画像表示システムは、画像を表示する表示装置と、前記表示装置に接続され、前記表示装置に対して画像を出力する画像出力装置とからなる画像表示システムであって、前記表示装置が、入力された画像信号の画像処理を行う画像情報処理手段と、前記画像情報処理手段により画像処理された画像を表示する表示手段と、ユーザーからの操作指示を受け付けるユーザー入力受付手段と、前記ユーザー入力受付手段がユーザーからの画像表示形態の変更指示を受けたとき、前記表示手段に表示される画像の表示形態を変化させるよう前記画像情報処理手段を制御する表示形態制御手段と、画像表示形態変化通知を前記画像出力装置に送信する表示形態変化通知手段とを具備し、前記画像出力装置が、出力する画像を変換する画像変換手段と、前記表示装置に出力する画像信号の画像処理を行う画像処理手段と、前記表示形態変化通知手段から送信された画像表示形態変化通知を受信する表示形態変化通知受信手段と、前記画像処理手段の画像処理内容を前記表示装置の画像表示形態にあうよう制御する画像処理制御手段とを具備し、前記表示形態変化通知受信手段が前記表示形態変化通知手段からの画像表示形態変化通知を受信したとき、前記表示装置の表示手段が変化させて表示する画像表示形態に対応するよう画像の出力条件を変化させることを特徴とする構成を有するものである。
【００１４】
本発明の画像表示システムは、上記表示装置と上記画像出力装置が、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）により接続されており、前記表示装置から前記画像出力装置への画像表示形態の変化の通知が、ＨＤＭＩ規格におけるＣＥＣ（Ｃｏｎｓｕｍｅｒ  Ｅｌｅｃｔｒｏｎｉｃｓ  Ｃｏｎｔｒｏｌ）プロトコルを用いて行われるようになっている。
【００１５】
本発明の画像表示システムは、上記画像出力装置が、ＧＵＩ（Ｇｒａｐｈｉｃａｌ  Ｕｓｅｒ  Ｉｎｔｅｒｆａｃｅ）を具備し、上記表示形態変化通知受信手段が上記表示形態変化通知手段からの画像表示形態変化通知を受信したとき、ＧＵＩの構成を変化させるようになっている。
【００１６】
本発明の画像表示システムは、上記画像出力装置が、ＧＵＩ構成のＯＳＤを生成するＯＳＤ生成手段と、前記ＯＳＤ生成手段に対してＧＵＩ構成のＯＳＤの生成を指示するＧＵＩ制御手段とを具備し、前記ＧＵＩ制御手段が、ＧＵＩ構成を変更させる必要があるかを判断し、ＧＵＩ構成を変更させる必要がある場合、前記ＯＳＤ生成手段に対して新しいＧＵＩ構成のＯＳＤを生成するように指示を行うようになっている。
【発明の効果】
【００１７】
以上に説明したように、本発明によれば、表示装置において画像表示形態を変化させた場合でも、画像出力装置から表示装置へ常に最適な画像を出力することが可能となり、非常に便利な画像表示システムを得ることができる。
【発明を実施するための最良の形態】
【００１８】
以下、本発明を実施するための最良の形態の液晶表示装置について、図面に基づき詳細に説明する。
【実施例】
【００１９】
本発明の画像表示システムは、画像を表示する表示装置１と、表示装置１に接続され、表示装置１に対して画像を出力する画像出力装置１０とからなる。
【００２０】
本発明の画像表示システムは、表示装置１が、入力された画像信号の画像処理を行う画像情報処理手段である画像情報処理部３と、画像情報処理部３により画像処理された画像を表示する表示手段である表示部４と、ユーザーからの操作指示を受け付けるユーザー入力受付手段であるユーザー入力受付部５と、ユーザー入力受付部５がユーザーからの画像表示形態の変更指示を受けたとき、表示部４に表示される画像の表示形態を変化させるよう画像情報処理部３を制御する表示形態制御手段である表示形態制御部６と、画像表示形態変化通知を画像出力装置１０に送信する表示形態変化通知手段とを具備している。
【００２１】
本発明の画像表示システムは、画像出力装置１０が、出力する画像を変換する画像変換手段である映像信号復号部１２と、表示装置１に出力する画像信号の画像処理を行う画像処理手段である画像処理部１３と、表示形態変化通知手段から送信された画像表示形態変化通知を受信する表示形態変化通知受信手段と、画像処理部１３の画像処理内容を表示装置１の画像表示形態にあうよう制御する画像処理制御手段である画像処理制御部１６とを具備している。
【００２２】
本発明の画像表示システムは、画像出力装置１０が、表示形態変化通知受信手段が表示形態変化通知手段からの画像表示形態変化通知を受信したとき、表示装置１の表示部４が変化させて表示する画像表示形態に対応するよう画像の出力条件を変化させるようになっている。
【００２３】
本発明の画像表示システムは、表示装置１と画像出力装置１０が、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）により接続されており、表示装置１から画像出力装置１０への画像表示形態の変化の通知が、ＨＤＭＩ規格におけるＣＥＣ（Ｃｏｎｓｕｍｅｒ  Ｅｌｅｃｔｒｏｎｉｃｓ  Ｃｏｎｔｒｏｌ）プロトコルを用いて行われるようになっている。
【００２４】
本発明の画像表示システムは、画像出力装置１０が、ＧＵＩ（Ｇｒａｐｈｉｃａｌ  Ｕｓｅｒ  Ｉｎｔｅｒｆａｃｅ）を具備している。
【００２５】
本発明の画像表示システムは、画像出力装置１０が、表示形態変化通知受信手段が表示形態変化通知手段からの画像表示形態変化通知を受信したとき、ＧＵＩの構成を変化させるようになっている。
【００２６】
本発明の画像表示システムは、画像出力装置１０が、ＧＵＩ構成のＯＳＤを生成するＯＳＤ生成手段であるＯＳＤ生成部１９と、ＯＳＤ生成部１９に対してＧＵＩ構成のＯＳＤの生成を指示するＧＵＩ制御手段であるＧＵＩ制御部１８とを具備している。
【００２７】
本発明の画像表示システムは、ＧＵＩ制御部１８が、ＧＵＩ構成を変更させる必要があるかを判断し、ＧＵＩ構成を変更させる必要がある場合、ＯＳＤ生成部１９に対して新しいＧＵＩ構成のＯＳＤを生成するように指示を行うようになっている。
【００２８】
図１は、本発明の第一実施例に係る画像表示システムの構成の一例を示す機能ブロック図である。
本発明の第一実施例に係る画像表示システムの一例を、図１に基づいて以下に説明する。
【００２９】
なお、本第一実施例においては、画像出力装置として、符号化された映像・音声データを格納しておき、後から格納された映像・音声データを復号して出力することが可能な、いわゆるハードディスクレコーダーを想定している。
【００３０】
表示装置１は、図１に示すように、画像信号入力手段である画像信号入力部２と、画像情報処理手段である画像情報処理部３と、表示手段である表示部４と、ユーザー入力受付手段であるユーザー入力受付部５と、表示形態制御手段である表示形態制御部６と、表示形態変化通知手段である表示形態変化通知部７とを備えている。
【００３１】
画像信号入力部２には、画像出力装置１０から出力された画像信号が入力される。
【００３２】
画像情報処理部３は、画像信号入力部２に入力された画像信号の画像処理を行う。
【００３３】
表示部４は、画像情報処理部３により画像処理された画像を表示する。
【００３４】
ユーザー入力受付部５は、ユーザーからの操作指示を受け付ける。
【００３５】
表示形態制御部６は、ユーザー入力受付部５がユーザーからの画像表示形態の変更指示を受けたとき、表示部４に表示される画像の表示形態を変化させるよう画像情報処理部３を制御する。
【００３６】
さらに、表示形態制御部６は、表示形態変化通知部７に画像表示形態の変化通知を行うように指示を行う。
【００３７】
表示形態変化通知部７は、画像表示形態変化通知を画像出力装置１０に送信する。
【００３８】
画像出力装置１０は、図１に示すように、映像信号格納手段である映像信号格納部１１と、画像変換手段である映像信号復号部１２と、画像処理手段である画像処理部１３と、画像信号出力手段である画像信号出力部１４と、表示形態変化通知受信手段である表示形態変化通知受信部１５と、画像処理制御手段である画像処理制御部１６とを備えている。
【００３９】
画像出力装置１０は、表示装置１と接続されている。
【００４０】
映像信号格納部１１は、符号化された映像信号を格納する。
【００４１】
映像信号復号部１２は、映像信号格納部１１から取り出された映像信号を復号する。
【００４２】
画像処理部１３は、復号した映像信号の画像処理を行う。
【００４３】
画像信号出力部１４は、画像処理した画像信号を表示装置１に出力する。
【００４４】
表示形態変化通知受信部１５は、表示形態変化通知部７から送信された画像表示形態変化通知を受信する。
【００４５】
画像処理制御部１６は、画像処理部１３を制御し、画像処理部１３の画像処理内容を表示装置１の画像表示形態にあわせて最適化する。
【００４６】
図１にて、画像出力装置１０において、映像信号格納部１１に符号化された映像信号が格納されている。
【００４７】
映像信号格納部１１から取り出された映像信号は、映像信号復号部１２にて復号され、画像処理部１３にて画像処理が行われた後、画像信号が画像信号出力部１４より表示装置１に出力される。
【００４８】
画像信号出力部１４より出力された画像信号は、表示装置１の画像信号入力部２に入力される。
【００４９】
画像信号入力部２に入力された画像信号は、画像情報処理部３にて画像処理が行われた後、表示部４に表示される。
【００５０】
表示装置１において、ユーザーからの操作指示を受け付けるユーザー入力受付部５にユーザーが画像表示形態の変更を入力すると、表示形態制御部６が画像情報処理部３を制御し、表示部４に表示される画像表示形態が変化する。
【００５１】
またこのとき、表示形態制御部６が表示形態変化通知部７に画像表示形態の変化通知を行うように指示を行う。
【００５２】
表示装置１の表示形態変化通知部７から画像出力装置１０の表示形態変化通知受信部１５に画像表示形態の変化が通知される。
【００５３】
表示形態変化通知受信部１５は、受信した画像表示形態変化を画像処理制御部１６に通知し、画像処理制御部１６が画像処理部１３の画像処理内容を表示装置１の画像表示形態にあわせて最適化する。
【００５４】
例えば、表示装置１において、２つの画面を同時に表示する画像表示形態に移行した結果、表示領域のアスペクト比が１６：９から４：３に変化した場合、画像処理部１３におけるアスペクト比処理を変更し、画像出力装置１０から出力される画像のアスペクト比をそれまでの１６：９から４：３に変更することができ、表示装置１において最適な画像の表示が可能となる。
【００５５】
図２は、本発明の第二実施例に係る画像表示システムの構成の一例を示す機能ブロック図である。
本発明の第二実施例に係る画像表示システムの一例を、図２に基づいて以下に説明する。
【００５６】
なお、本第二実施例においては、画像出力装置として、符号化された映像・音声データを格納しておき、後から格納された映像・音声データを復号して出力することが可能な、いわゆるハードディスクレコーダーを想定している。
【００５７】
図２において、図１における表示装置１と画像出力装置１０との同一の部分に対しては同一の番号を付して、説明は省略する。
【００５８】
表示装置１は、図２に示すように、画像情報処理手段である画像情報処理部３と、表示手段である表示部４と、ユーザー入力受付手段であるユーザー入力受付部５と、表示形態制御手段である表示形態制御部６と、表示形態変化通知手段であるＨＤＭＩ送受信部８とを備えている。
【００５９】
ＨＤＭＩ送受信部８は、ＨＤＭＩ送受信部１７に画像表示形態変化通知を送信する。
【００６０】
また、ＨＤＭＩ送受信部８は、ＨＤＭＩ送受信部１７から送信された画像処理した画像信号を受信する。
【００６１】
画像出力装置１０は、図２に示すように、映像信号格納手段である映像信号格納部１１と、画像変換手段である映像信号復号部１２と、画像処理手段である画像処理部１３と、画像処理制御手段である画像処理制御部１６と、表示形態変化通知受信手段であるＨＤＭＩ送受信部１７とを備えている。
【００６２】
ＨＤＭＩ送受信部１７は、ＨＤＭＩ送受信部８から送信された画像表示形態変化通知を受信する。
【００６３】
また、ＨＤＭＩ送受信部１７は、ＨＤＭＩ送受信部８に画像処理した画像信号を送信する。
【００６４】
表示装置１と画像出力装置１０は、ＨＤＭＩで接続されている。
【００６５】
ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）は、映像・音声信号を非圧縮で伝送する規格である。
【００６６】
ＨＤＭＩ規格にのっとった表示装置１と画像出力装置１０は、ＨＤＭＩケーブル１本で接続するだけで映像・音声を伝送することができ、非常に便利である。
【００６７】
また、ＨＤＭＩ規格において、ＣＥＣ（Ｃｏｎｓｕｍｅｒ  Ｅｌｅｃｔｒｏｎｉｃ  Ｃｏｎｔｒｏｌ）と呼ばれるプロトコルが規格化されている。
【００６８】
ＣＥＣを用いると、ＨＤＭＩで接続された機器同士が双方向に通信を行うことができる。
【００６９】
また、通信内容に関しても機器独自の拡張が可能となるように定義されている。
【００７０】
これは、ＤＶＩ（Ｄｉｇｉｔａｌ  Ｖｉｓｕａｌ  Ｉｎｔｅｒｆａｃｅ）やコンポーネントなどの他の伝送規格には無い特徴である。
【００７１】
図２にて、画像出力装置１０において、映像信号格納部１１に符号化された映像信号が格納されている。
【００７２】
映像信号格納部１１から取り出された映像信号は、映像信号復号部１２にて復号され、画像処理部１３にて画像処理が行われた後、画像信号がＨＤＭＩ送受信部１７より表示装置１に出力される。
【００７３】
ＨＤＭＩ送受信部１７より出力された画像信号は、表示装置１のＨＤＭＩ送受信部８に入力される。
【００７４】
ＨＤＭＩ送受信部８に入力された画像信号は、画像情報処理部３にて画像処理が行われた後、表示部４に表示される。
【００７５】
表示装置１において、ユーザーからの操作指示を受け付けるユーザー入力受付部５にユーザーが画像表示形態の変更を入力すると、表示形態制御部６が画像情報処理部３を制御し、表示部４に表示される画像表示形態が変化する。
【００７６】
またこのとき、表示形態制御部６がＨＤＭＩ送受信部８に画像表示形態の変化通知を行うように指示を行う。
【００７７】
表示装置１のＨＤＭＩ送受信部８から画像出力装置１０のＨＤＭＩ送受信部１７に画像表示形態の変化がＣＥＣプロトコルを用いて通知される。
【００７８】
ＨＤＭＩ送受信部１７は、受信した画像表示形態変化を画像処理制御部１６に通知し、画像処理制御部１６が画像処理部１３の画像処理内容を表示装置１の画像表示形態にあわせて最適化する。
【００７９】
図３は、本発明の第三実施例に係る画像表示システムの構成の一例を示す機能ブロック図である。
本発明の第三実施例に係る画像表示システムの一例について、図３に基づいて以下に説明する。
【００８０】
なお、本第三実施例においては、画像出力装置として、符号化された映像・音声データを格納しておき、後から格納された映像・音声データを復号して出力することが可能な、いわゆるハードディスクレコーダーを想定している。
【００８１】
図３において、図１における表示装置１と画像出力装置１０との同一の部分に対しては同一の番号を付して、説明は省略する。
【００８２】
また、表示装置１は、図１のものと同一であるため説明は省略する。
【００８３】
画像出力装置１０は、図３に示すように、映像信号格納手段である映像信号格納部１１と、画像変換手段である映像信号復号部１２と、画像処理手段である画像処理部１３と、画像信号出力手段である画像出力部１４と、表示形態変化通知受信手段である表示形態変化通知受信部１５と、画像処理制御手段である画像処理制御部１６と、ＧＵＩ制御手段であるＧＵＩ制御部１８と、ＯＳＤ生成手段であるＯＳＤ生成部１９と、画像合成手段である画像合成部２０とを備えている。
【００８４】
ＧＵＩ制御部１８は、ＯＳＤ生成部１９を制御し、ＯＳＤ生成部１９に対してＧＵＩ構成のＯＳＤの生成を指示する。
【００８５】
ＯＳＤ生成部１９は、ＧＵＩ構成のＯＳＤを生成する。
【００８６】
画像合成部２０は、生成されたＯＳＤを復号済みの映像信号と合成する。
【００８７】
図３にて、画像出力装置１０において、映像信号格納部１１に符号化された映像信号が格納されている。
【００８８】
映像信号格納部１１から取り出された映像信号は、映像信号復号部１２にて復号され、画像処理部１３にて画像処理が行われた後、画像合成部２０に入力される。
【００８９】
ＧＵＩ制御部１８が必要に応じてＯＳＤ生成部１９に対してＯＳＤの生成を指示する。
【００９０】
ＯＳＤ生成部１９にて生成されたＯＳＤは、画像合成部２０にて復号済みの映像信号と合成された後、画像信号出力部１４より表示装置１に出力される。
【００９１】
表示装置１において、ユーザーからの操作指示を受け付けるユーザー入力受付部５にユーザーが画像表示形態の変更を入力すると、表示形態制御部６が画像情報処理部３を制御し、表示部４に表示される画像表示形態が変化する。
【００９２】
またこのとき、表示形態制御部６が表示形態変化通知部７に画像表示形態の変化通知を行うように指示を行う。
【００９３】
表示装置１の表示形態変化通知部７から画像出力装置１０の表示形態変化通知受信部１５に画像表示形態の変化が通知される。
【００９４】
表示形態変化通知受信部１５は、受信した画像表示形態変化を画像処理制御部１６に通知し、画像処理制御部１６が画像処理部１３の画像処理内容を表示装置１の画像表示形態にあわせて最適化する。
【００９５】
また、表示形態変化通知受信部１５は、ＧＵＩ制御部１８に対しても画像表示形態変化を通知する。
【００９６】
ＧＵＩ制御部１８は、現在のＧＵＩの表示状態と画像表示形態変化通知からＧＵＩ構成を変更する必要があるかどうかを判断し、ＧＵＩ構成を変更する必要がある場合には、ＯＳＤ生成部１９に対して新しいＧＵＩ構成のＯＳＤを生成するように指示を行う。
【００９７】
これにより、表示装置１の画像表示形態が変化しても、常にそのときの表示形態に適した見やすく使いやすいＧＵＩを表示することができる。
【図面の簡単な説明】
【００９８】
【図１】本発明の第一実施例に係る画像表示システムの構成の一例を示す機能ブロック図。
【図２】本発明の第二実施例に係る画像表示システムの構成の一例を示す機能ブロック図。
【図３】本発明の第三実施例に係る画像表示システムの構成の一例を示す機能ブロック図。
【符号の説明】
【００９９】
１  表示装置
２  画像信号入力部
３  画像情報処理部（画像情報処理手段）
４  表示部（表示手段）
５  ユーザー入力受付部（ユーザー入力受付手段）
６  表示形態制御部（表示形態制御手段）
７  表示形態変化通知部（表示形態変化通知手段）
８  ＨＤＭＩ送受信部（表示形態変化通知手段）
１０  画像出力装置
１１  映像信号格納部
１２  映像信号復号部（画像変換手段）
１３  画像処理部（画像処理手段）
１４  画像信号出力部
１５  表示形態変化通知受信部（表示形態変化通知受信手段）
１６  画像処理制御部（画像処理制御手段）
１７  ＨＤＭＩ送受信部（表示形態変化通知受信手段）
１８  ＧＵＩ制御部（ＧＵＩ制御手段）
１９  ＯＳＤ生成部（ＯＳＤ生成手段）
２０  画像合成部
【図１】
2008096873.tif 000003
【図２】
2008096873.tif 000004
【図３】
2008096873.tif 000005